(57)【要約】【課題】遠隔地から保守作業等を行うことが可能な遠隔モニタ装置を実現する。【解決手段】収集した物理量に関する情報をネットワークを介して伝送する遠隔モニタ装置において、物理量に関する情報を取り込む入力手段と、既知の値を保持する疑似入力制御手段と、入力手段若しくは疑似入力制御手段の出力の一方を選択して出力する切換手段と、この切換手段の出力を情報として蓄積する記憶手段と、この記憶手段の情報をネットワークを介して伝送する通信手段と、装置全体を制御すると共に保守動作時に切換手段を制御して疑似入力制御手段の出力を選択させる判定制御手段とを設ける。【選択図】　　　　　　　　　　図１
2004013245.tif 000002
【特許請求の範囲】
【請求項１】
収集した物理量に関する情報をネットワークを介して伝送する遠隔モニタ装置において、
前記物理量に関する情報を取り込む入力手段と、
既知の値を保持する疑似入力制御手段と、
前記入力手段若しくは前記疑似入力制御手段の出力の一方を選択して出力する切換手段と、
この切換手段の出力を前記情報として蓄積する記憶手段と、
この記憶手段の前記情報をネットワークを介して伝送する通信手段と、
装置全体を制御すると共に保守動作時に前記切換手段を制御して前記疑似入力制御手段の出力を選択させる判定制御手段と
を備えたことを特徴とする遠隔モニタ装置。
【請求項２】
前記判定制御手段が、
前記ネットワーク経由で保守動作のコマンドの受信した場合に前記保守動作を行うことを特徴とする
請求項１記載の遠隔モニタ装置。
【請求項３】
前記判定制御手段が、
前記ネットワーク経由で通常動作のコマンドの受信した場合に前記保守動作を解除することを特徴とする
請求項１記載の遠隔モニタ装置。
【請求項４】
前記判定制御手段が、
前記保守動作開始後一定時間を経過した場合に前記保守動作を解除することを特徴とする
請求項１記載の遠隔モニタ装置。
【請求項５】
前記判定制御手段が、
予め設定された閾値に基づき判定処理を行うことを特徴とする
請求項１記載の遠隔モニタ装置。
【請求項６】
前記判定制御手段が、
取り込んだ値と予め設定された閾値とを比較してアラームの可否を判定し、アラームが発生した場合に電子メールによりアラームを送信することを特徴とする請求項５記載の遠隔モニタ装置。
【請求項７】
前記判定制御手段が、
前記ネットワーク経由で受信した値を前記疑似入力制御手段に保持させることを特徴とする
請求項１記載の遠隔モニタ装置。
【請求項８】
前記入力手段が、
接点信号を前記情報として取り込む設定信号入力手段であることを特徴とする請求項１記載の遠隔モニタ装置。
【請求項９】
前記入力手段が、
アナログ値を前記情報として取り込むＡ／Ｄ変換手段であることを特徴とする請求項１記載の遠隔モニタ装置。
【発明の詳細な説明】
【０００１】
【発明の属する技術分野】
本発明は、収集したアナログ値や接点情報等の物理量に関する情報をネットワークを介して伝送する遠隔モニタ装置に関し、特に遠隔地から保守作業等を行うことが可能な遠隔モニタ装置に関する。
【０００２】
【従来の技術】
従来の遠隔モニタ装置は収集したアナログ値や接点情報等の物理量に関する情報をＬＡＮ（Ｌｏｃａｌ　Ａｒｅａ　Ｎｅｔｗｏｒｋ）、ＷＡＮ（Ｗｉｄｅ　Ａｒｅａ　Ｎｅｔｗｏｒｋ）、若しくは、インターネット等の汎用のネットワークを介して上位コンピュータや汎用ブラウザがインストールされたクライアント・コンピュータ等のコンピュータに伝送して遠隔地で当該情報をモニタリングするものである。
【０００３】
図３はこのような従来の遠隔モニタ装置の一例を示す構成ブロック図である。図３において１はリレーの出力等の接点信号を取り込む接点信号入力手段、２は電圧等のアナログ値をディジタル値に変換して取り込むＡ／Ｄ変換手段、３はＣＰＵ（Ｃｅｎｔｒａｌ　Ｐｒｏｃｅｓｓｉｎｇ　Ｕｎｉｔ）、ＭＰＵ（Ｍｉｃｒｏ　Ｐｒｏｃｅｓｓｉｎｇ　Ｕｎｉｔ）等の制御手段、４は通信カード等の通信手段、５は前述のような汎用のネットワーク、６は前述のようなコンピュータ、１００は接点信号、１０１はアナログ信号である。また、１，２，３及び４は遠隔モニタ装置５０を構成している。
【０００４】
接点信号１００は接点入力手段１に入力され、アナログ信号１０１はＡ／Ｄ変換手段２に入力される。接点信号入力手段１及びＡ／Ｄ変換手段２の出力はそれぞれ制御手段３に接続され、制御手段３の出力は通信手段４に接続される。また、通信手段４の出力はネットワーク５を介してコンピュータ６に接続される。
【０００５】
ここで、図３に示す従来例の動作を説明する。リレーの出力等の接点信号は接点信号入力手段１によりディジタル値として取り込まれ、電圧等のアナログ値はＡ／Ｄ変換手段２でディジタル値に変換されて取り込まれる。
【０００６】
取り込まれた接点信号等の情報はディジタル値として制御手段３で適宜処理がなされ、通信手段４によってネットワーク５上に送信される。ネットワーク５上に送信された情報はコンピュータ６で受信されて表示、解析及び監視等の処理がなされる。
【０００７】
この結果、コンピュータ６側から遠隔地に設置された遠隔モニタ装置５０が収集した情報をモニタリングすることが可能になる。
【０００８】
【発明が解決しようとする課題】
しかし、図３に示す従来例では遠隔モニタ装置の設置作業や保守作業においては、接点信号入力手段１やＡ／Ｄ変換手段２に直接既知の値を印加して、遠隔モニタ装置の保守点検等を行う必要性があるが、この場合には、作業者が現地に赴いて遠隔モニタ装置に既知の値を印加しなければならなかった。
【０００９】
すなわち、遠隔モニタ装置の設置作業や保守作業においては作業者が現地に赴くことになり、作業効率が悪いと言った問題点があった。
従って本発明が解決しようとする課題は、遠隔地から保守作業等を行うことが可能な遠隔モニタ装置を実現することにある。
【００１０】
【課題を解決するための手段】
このような課題を達成するために、本発明のうち請求項１記載の発明は、
収集した物理量に関する情報をネットワークを介して伝送する遠隔モニタ装置において、
前記物理量に関する情報を取り込む入力手段と、既知の値を保持する疑似入力制御手段と、前記入力手段若しくは前記疑似入力制御手段の出力の一方を選択して出力する切換手段と、この切換手段の出力を前記情報として蓄積する記憶手段と、この記憶手段の前記情報をネットワークを介して伝送する通信手段と、装置全体を制御すると共に保守動作時に前記切換手段を制御して前記疑似入力制御手段の出力を選択させる判定制御手段とを備えたことにより、遠隔地から保守作業等を行うことが可能になる。
【００１１】
請求項２記載の発明は、
請求項１記載の発明である遠隔モニタ装置において、
前記判定制御手段が、
前記ネットワーク経由で保守動作のコマンドの受信した場合に前記保守動作を行うことにより、遠隔地から保守作業等を行うことが可能になる。
【００１２】
請求項３記載の発明は、
請求項１記載の発明である遠隔モニタ装置において、
前記判定制御手段が、
前記ネットワーク経由で通常動作のコマンドの受信した場合に前記保守動作を解除することにより、遠隔地から保守作業等を行うことが可能になる。
【００１３】
請求項４記載の発明は、
請求項１記載の発明である遠隔モニタ装置において、
前記判定制御手段が、
前記保守動作開始後一定時間を経過した場合に前記保守動作を解除することにより、作業者が保守動作の解除を忘れた場合に対する歯止めが可能になる。
【００１４】
請求項５記載の発明は、
請求項１記載の発明である遠隔モニタ装置において、
前記判定制御手段が、
予め設定された閾値に基づき判定処理を行うことにより、現場に設置された遠隔モニタ装置において判定がなされるので、リアルタイム性が向上し、コンピュータ側の判定処理が不要になる。
【００１５】
請求項６記載の発明は、
請求項５記載の発明である遠隔モニタ装置において、
前記判定制御手段が、
取り込んだ値と予め設定された閾値とを比較してアラームの可否を判定し、アラームが発生した場合に電子メールによりアラームを送信することにより、現場に設置された遠隔モニタ装置において判定がなされるので、リアルタイム性が向上し、コンピュータ側の判定処理が不要になる。
【００１６】
請求項７記載の発明は、
請求項１記載の発明である遠隔モニタ装置において、
前記判定制御手段が、
前記ネットワーク経由で受信した値を前記疑似入力制御手段に保持させることにより、既知の値の変更等を現場に赴かなくても可能になる。
【００１７】
請求項８記載の発明は、
請求項１記載の発明である遠隔モニタ装置において、
前記入力手段が、
接点信号を前記情報として取り込む設定信号入力手段であることにより、遠隔地から保守作業等を行うことが可能になる。
【００１８】
請求項９記載の発明は、
請求項１記載の発明である遠隔モニタ装置において、
前記入力手段が、
アナログ値を前記情報として取り込むＡ／Ｄ変換手段であることにより、遠隔地から保守作業等を行うことが可能になる。
【００１９】
【発明の実施の形態】
以下本発明を図面を用いて詳細に説明する。図１は本発明に係る遠隔モニタ装置の一実施例を示す構成ブロック図である。
【００２０】
図１において１，２，４，１００及び１０１は図３と同一符号を付してあり、７は前処理等を行う処理手段、８は切換手段、９及び１２は記憶手段、１０は遠隔モニタ装置全体を制御すると共に必要な判定を行う判定制御手段、１１は疑似入力制御手段、１３はタイマ手段である。
【００２１】
また、７，８，９，１０，１１，１２及び１３は制御手段５１を、１，２，４及び５１は遠隔モニタ装置５２をそれぞれ構成している。
【００２２】
接点信号１００は接点入力手段１に入力され、アナログ信号１０１はＡ／Ｄ変換手段２に入力される。接点信号入力手段１及びＡ／Ｄ変換手段２の出力はそれぞれ処理手段７に接続され、処理手段７の出力は切換手段８の一方の入力端子に接続される。
【００２３】
切換手段８の出力は記憶手段９に接続され、記憶手段９の出力は判定制御手段１０に接続される。判定制御手段１０の制御信号は疑似入力制御手段１１に接続され、タイマ手段１３の出力もまた疑似入力制御手段１１に接続される。
【００２４】
疑似入力制御手段１１の出力は記憶手段１２に接続され、疑似入力制御手段１１の制御信号は切換手段８の制御入力端子に接続される。また、記憶手段１２の出力は切換手段８の他方の入力端子に接続される。
【００２５】
また、判定制御手段１０の入出力は通信手段４に接続され、通信手段４の出力はネットワーク（図示せず。）を介してコンピュータ（図示せず。）に接続される。
【００２６】
ここで、図１に示す実施例の動作を図２を用いて説明する。図２は判定制御手段１０の動作を説明するフロー図である。但し、図３に示す従来例と同様の部分の説明に関しては省略する。
【００２７】
図２中”Ｓ００１”において判定制御手段１０は通常動作か否かを判断する。例えば、通信手段４がコンピュータ（図示せず。）から保守動作のコマンドを受信したか否かを判断して当該コマンドを受信しない場合には通常動作と判断する。
【００２８】
もし、図２中”Ｓ００１”において通常動作と判断された場合、図２中”Ｓ００２”において判断制御手段１０は疑似入力制御手段１１を介して切換手段８を制御して処理手段７の出力を選択させ、図２中”Ｓ００３”において接点信号入力手段１等で取り込まれた接点信号等の情報をディジタル値として記憶手段９に蓄積する。
【００２９】
そして、図２中”Ｓ００４”において判定制御手段１０は通信手段４を制御して記憶手段９に蓄積されている情報をネットワーク（図示せず。）を介して送信する。
【００３０】
一方、図２中”Ｓ００１”において通常動作ではない、言い換えれば、保守動作と判断された場合、図２中”Ｓ００５”において判断制御手段１０は疑似入力制御手段１１を介して切換手段８を制御して記憶手段１２の出力を選択させ、図２中”Ｓ００６”において記憶手段１２に予め設定されている既知の値をディジタル値として記憶手段９に蓄積する。
【００３１】
そして、図２中”Ｓ００７”において判定制御手段１０は通信手段４を制御して記憶手段９に蓄積されている情報をネットワーク（図示せず。）を介して送信する。
【００３２】
図２中”Ｓ００８”において判定制御手段１０は一定時間が経過したか否かを判断する。例えば、保守動作のコマンドの受信時にタイマ手段１３を動作させ、タイマ手段１３の出力がオーバーフローしたかをモニタして当該一定時間の経過を判断する。
【００３３】
もし、図２中”Ｓ００８”において一定時間経過と判断された場合、図２中”Ｓ００９”において判断制御手段１０は疑似入力制御手段１１を介して切換手段８を制御して処理手段７の出力を選択させる。
【００３４】
すなわち、判断制御手段１０は保守動作のコマンドの受信後に一定時間が経過した場合には強制的に切換手段８の選択を切り換えて保守動作を解除する。
【００３５】
この結果、保守動作のコマンドを受信した場合に、予め設定されている既知の値を情報として取り込んでネットワーク経由で当該情報を送信することにより、現地に作業者が赴くこと無しに遠隔地から保守作業等を行うことが可能になる。
【００３６】
また、一定時間経過後に自動的に保守動作を解除することにより、作業者が保守動作の解除を忘れた場合に対する歯止めが可能になる。
【００３７】
なお、図１に示す実施例では前処理を行う修理手段７を例示しているが、必須の構成要素ではない。
【００３８】
また、図１に示す実施例では判断制御手段１０は疑似入力制御手段１１を介して切換手段８を制御しているが、判断制御手段１０が直接切換手段８を制御しても構わない。
【００３９】
また、図１に示す実施例では２つの記憶手段９及び記憶手段１２を例示しているが、勿論、１つの記憶手段に統合しても構わない。また、記憶手段１２を疑似入力制御手段１１に統合しても構わない。
【００４０】
また、図１に示す実施例では一定時間経過を把握するためタイマ手段１３を別途用意しているが、判定制御手段１０や疑似入力制御手段１１内にタイマ機能を持たせれば省略可能である。
【００４１】
すなわち、疑似入力制御手段１１に記憶機能を設け既知の値を保持し、判定制御手段１０がタイマ機能を有して一定時間経過を把握すると共に直接切換手段８を制御しても構わない。
【００４２】
また、図１に示す実施例では入力手段として接点信号入力手段１及びＡ／Ｄ変換手段２を例示しているが、勿論、他の入力手段を具備するものであっても構わない。
【００４３】
また、図１に示す実施例では一定時間経過後に自動的に保守動作を解除する機能を例示しているが、必須の機能ではない。
【００４４】
また、図１に示す実施例では判定制御手段１０はネットワーク経由で保守動作のコマンドの受信した場合に保守動作を行わせているが、ネットワーク経由で通常動作のコマンドの受信した場合に通常動作、言い換えれば、保守動作を解除させても構わない。
【００４５】
また、図１に示す実施例では判定制御手段１０はただ単に取り込んだ情報を送信しているが、取り込んだ値と予め設定された閾値とを比較してアラームの可否を判定してアラームが発生した場合に電子メール等によりアラームを送信する等の判定処理をさせても構わない。
【００４６】
この場合には、現場に設置された遠隔モニタ装置５２においてアラームの判定がなされるので、リアルタイム性が向上し、コンピュータ（図示せず。）側の判定処理が不要になる。
【００４７】
また、図１に示す実施例では予め既知の値が記憶手段１２に設定されていたが、工場出荷時に設定しても、ネットワーク経由で記憶手段１２に値を書き込み、変更等しても構わない。後者の場合には、既知の値の変更等を現場に赴かなくても可能になる。
【００４８】
【発明の効果】
以上説明したことから明らかなように、本発明によれば次のような効果がある。
請求項１，２，３，８及び請求項９の発明によれば、保守動作のコマンドを受信した場合に、予め設定されている既知の値を情報として取り込んでネットワーク経由で当該情報を送信することにより、現地に作業者が赴くこと無しに遠隔地から保守作業等を行うことが可能になる。
【００４９】
また、請求項４の発明によれば、一定時間経過後に自動的に保守動作を解除することにより、作業者が保守動作の解除を忘れた場合に対する歯止めが可能になる。
【００５０】
また、請求項５及び請求項６の発明によれば、予め設定された閾値に基づき判定処理を行うことにより、現場に設置された遠隔モニタ装置において判定がなされるので、リアルタイム性が向上し、コンピュータ側の判定処理が不要になる。
【００５１】
また、請求項７の発明によれば、ネットワーク経由で既知の値の書き込み等をすることにより、既知の値の変更等を現場に赴かなくても可能になる。
【図面の簡単な説明】
【図１】本発明に係る遠隔モニタ装置の一実施例を示す構成ブロック図である。
【図２】判定制御手段の動作を説明するフロー図である。
【図３】従来の遠隔モニタ装置の一例を示す構成ブロック図である。
【符号の説明】
１　接点信号入力手段
２　Ａ／Ｄ変換手段
３，５１　制御手段
４　通信手段
５　ネットワーク
６　コンピュータ
７　処理手段
８　切換手段
９，１２　記憶手段
１０　判定制御手段
１１　疑似入力制御手段
１３　タイマ手段
５０，５２　遠隔モニタ装置
１００　接点信号
１０１　アナログ信号
【図１】
2004013245.tif 000003
【図２】
2004013245.tif 000004
【図３】
2004013245.tif 000005